(57)【要約】      （修正有）【課題】緯度、経度で示された位置情報を記憶し、地図画像に対応付けて情報を表示し、移動体である列車を時刻通りに動かす表示方法である擬似動画を表示できる移動体情報提示方法及び移動体情報提示装置を提供する。【解決手段】任意の位置を緯度及び経度で示す前記任意の位置に対応する地図画像を表示し、路線ｂ及び駅ｃの位置を緯度及び経度で示す移動体である列車の路線情報を記憶し、表示し、前記列車の位置を緯度及び経度で示す列車運行情報を記憶し、表示するものにおいて、緯度及び経度で示す静止画像の情報を記憶し、表示し、前記静止画像情報の前記緯度及び前記経度を、前記列車路線情報の前記緯度及び前記経度及び前記列車運行情報の前記緯度及び前記経度にそれぞれ対応させて記憶、表示し、前記地図画像に対応付けて情報を表示し、前記列車の擬似動画を表示する。【選択図】図１
2013174846.tif 000002
【特許請求の範囲】
【請求項１】
任意の位置を緯度及び経度で示す前記任意の位置に対応する地図画像を表示し、路線を緯度及び経度で示す移動体の路線情報を記憶し、表示し、前記移動体の位置を緯度及び経度で示す移動体運行情報を記憶し、表示するものにおいて、緯度及び経度で示す静止画像の情報を記憶し、表示し、前記静止画像情報の前記緯度及び前記経度を、前記移動体路線情報の前記緯度及び前記経度及び前記移動体運行情報の前記緯度及び前記経度にそれぞれ対応させて記憶、表示し、前記地図画像に対応付けて情報を表示し、前記移動体の擬似動画を表示することを特徴とする移動体情報提示方法。
【請求項２】
任意の位置を緯度及び経度で示す前記任意の位置に対応する地図画像を表示し、路線の位置を緯度及び経度で示す列車の路線情報を記憶し、表示し、前記列車の位置を緯度及び経度で示す列車運行情報を記憶し、表示するものにおいて、緯度及び経度で示す静止画像の情報を記憶し、表示し、前記静止画像情報の前記緯度及び前記経度を、前記列車路線情報の前記緯度及び前記経度及び前記列車運行情報の前記緯度及び前記経度にそれぞれ対応させて記憶、表示し、前記地図画像に対応付けて情報を表示し、前記列車の擬似動画を表示することを特徴とする列車情報提示方法。
【請求項３】
任意の位置を緯度及び経度で示す前記任意の位置に対応する地図画像を表示し、路線の位置を緯度及び経度で示す列車の路線情報を記憶し、表示し、前記列車の位置を緯度及び経度で示す列車運行情報を記憶し、表示するものにおいて、緯度及び経度で示す音響情報を記憶し、前記音響情報の前記緯度及び前記経度を、前記地図画像表示情報の前記緯度及び前記経度、前記列車路線情報の前記緯度及び前記経度及び前記列車運行情報の前記緯度及び前記経度にそれぞれ対応させて記憶し、前記地図画像に対応付けて情報を表示し、前記列車の擬似動画を表示することを特徴とする列車情報提示方法。
【請求項４】
任意の位置を緯度及び経度で示す前記任意の位置に対応する地図映像を表示し、路線の位置を緯度及び経度で示す列車の路線情報を記憶し、表示し、前記列車の位置を緯度及び経度で示す前記列車の運行情報を記憶し、表示するもの備えたものにおいて、緯度及び経度で示す映像の情報を記憶し、表示し、前記映像情報の前記緯度及び前記経度を、前記地図映像の前記緯度及び前記経度、前記列車路線情報の前記緯度及び前記経度及び前記列車運行情報の前記緯度及び前記経度にそれぞれ対応させて記憶、表示し、前記列車の擬似動画を表示することをすることを特徴とする列車情報提示方法。
【請求項５】
任意の位置を緯度及び経度で示す前記任意の位置に対応する地図画像を表示し、路線の位置を緯度及び経度で示す列車の路線情報を記憶し、表示し、前記列車の位置を緯度及び経度で示す前記列車の運行情報を記憶し、表示するものにおいて、緯度及び経度で示す静止画像の情報を記憶し、表示する静止画像情報記憶表示手段及び緯度及び経度で示す音響情報を記憶し、前記静止画像情報の前記緯度及び前記経度を、前記地図画像の前記緯度及び前記経度、前記列車路線情報の前記緯度及び前記経度、前記列車運行情報の前記緯度及び前記経度及び前記音響情報の前記緯度及び前記経度にそれぞれ対応させて表示し、前記列車の擬似動画を表示することをすることを特徴とする列車情報提示方法。
【請求項６】
任意の位置を緯度及び経度で示す前記任意の位置に対応する地図画像を表示する地図画像表示手段、路線の位置を緯度及び経度で示す移動体の路線情報を記憶し、表示する移動体路線情報記憶表示手段、前記移動体の位置を緯度及び経度で示す列車運行情報を記憶し、表示する移動体運行情報記憶表示手段を備えたものにおいて、緯度及び経度で示す静止画像の情報を記憶し、表示する静止画像情報記憶表示手段を設けて、前記静止画像情報記憶表示手段の前記緯度及び前記経度を、前記地図画像表示手段の前記緯度及び前記経度、前記移動体路線情報記憶表示手段の前記緯度及び前記経度及び前記移動体運行情報記憶表示手段の前記緯度及び前記経度にそれぞれ対応させて記憶、表示し、前記地図画像に対応付けて情報を表示し、前記移動体の擬似動画を表示することを特徴とする移動体情報提示装置。
【請求項７】
任意の位置を緯度及び経度で示す前記任意の位置に対応する地図画像を表示する地図画像表示手段、路線の位置を緯度及び経度で示す列車の路線情報を記憶し、表示する列車路線情報記憶表示手段、前記列車の位置を緯度及び経度で示す列車運行情報を記憶し、表示する列車運行情報記憶表示手段を備えたものにおいて、緯度及び経度で示す静止画像の情報を記憶し、表示する静止画像情報記憶表示手段を設けて、前記静止画像情報記憶表示手段の前記緯度及び前記経度を、前記地図画像表示手段の前記緯度及び前記経度、前記列車路線情報記憶表示手段の前記緯度及び前記経度及び前記列車運行情報記憶表示手段の前記緯度及び前記経度にそれぞれ対応させて記憶、表示し、前記地図画像に対応付けて情報を表示し、前記列車の擬似動画を表示することを特徴とする列車情報提示装置。
【請求項８】
任意の位置を緯度及び経度で示す前記任意の位置に対応する地図映像を表示する地図映像表示手段、路線の位置を緯度及び経度で示す列車の路線情報を記憶し、表示する列車路線情報記憶表示手段、前記列車の位置を緯度及び経度で示す前記列車の運行情報を記憶し、表示する列車運行情報記憶表示手段を備えたものにおいて、緯度及び経度で示す映像の情報を記憶し、表示する映像情報記憶表示手段を設けて、前記映像情報記憶表示手段の前記緯度及び前記経度を、前記地図映像表示手段の前記緯度及び前記経度、前記列車路線情報記憶表示手段の前記緯度及び前記経度及び前記列車運行情報記憶表示手段の前記緯度及び前記経度にそれぞれ対応させて記憶、表示し、前記列車の擬似動画を表示することをすることを特徴とする列車情報提示装置。
【請求項９】
任意の位置を緯度及び経度で示す前記任意の位置に対応する地図画像を表示する地図画像表示手段、路線の位置を緯度及び経度で示す列車の路線情報を記憶し、表示する列車路線情報記憶表示手段、前記列車の位置を緯度及び経度で示す前記列車の運行情報を記憶し、表示する列車運行情報記憶表示手段を備えたものにおいて、緯度及び経度で示す音響情報を記憶する音響情報記憶手段を設けて、前記音響情報記憶手段の前記緯度及び前記経度を、前記地図画像表示手段の前記緯度及び前記経度、前記列車路線情報記憶表示手段の前記緯度及び前記経度及び前記列車運行情報記憶表示手段の前記緯度及び前記経度にそれぞれ対応させて記憶し、前記地図画像に対応付けて情報を表示し、前記列車の擬似動画を表示することを特徴とする列車情報提示装置。
【請求項１０】
任意の位置を緯度及び経度で示す前記任意の位置に対応する地図映像を表示する地図映像表示手段、路線の位置を緯度及び経度で示す列車の路線情報を記憶し、表示する列車路線情報記憶表示手段、前記列車の位置を緯度及び経度で示す前記列車の運行情報を記憶し、表示する列車運行情報記憶表示手段を備えたものにおいて、緯度及び経度で示す映像の情報を記憶し、表示する映像情報記憶表示手段を設けて、前記映像情報記憶手段の前記緯度及び前記経度を、前記地図映像表示手段の前記緯度及び前記経度、前記列車路線情報記憶表示手段の前記緯度及び前記経度及び前記列車運行情報記憶表示手段の前記緯度及び前記経度にそれぞれ対応させて記憶、表示し、前記列車の擬似動画を表示することをすることを特徴とする列車情報提示装置。
【請求項１１】
任意の位置を緯度及び経度で示す前記任意の位置に対応する地図画像を表示する地図画像表示手段、路線の位置を緯度及び経度で示す列車の路線情報を記憶し、表示する列車路線情報記憶表示手段、前記列車の位置を緯度及び経度で示す前記列車の運行情報を記憶し、表示する列車運行情報記憶表示手段を備えたものにおいて、緯度及び経度で示す静止画像の情報を記憶し、表示する静止画像情報記憶表示手段及び緯度及び経度で示す音響の情報を記憶する音響情報記憶手段を設けて、前記静止画像情報記憶手段の前記緯度及び前記経度を、前記地図画像表示手段の前記緯度及び前記経度、前記列車路線情報記憶表示手段の前記緯度及び前記経度、前記列車運行情報記憶表示手段の前記緯度及び前記経度及び前記音響情報記憶手段の前記緯度及び前記経度にそれぞれ対応させて表示し、前記列車の擬似動画を表示することをすることを特徴とする列車情報提示装置。
【請求項１２】
任意の位置を緯度及び経度で示す前記任意の位置に対応する地図映像を表示する地図映像表示手段、路線及び駅の位置を緯度及び経度で示す列車の路線情報を記憶し、表示する列車路線情報記憶表示手段、前記列車の位置を緯度及び経度で示す前記列車の運行情報を記憶し、表示する列車運行情報記憶表示手段を備えたものにおいて、緯度及び経度で示す映像の情報を記憶する映像情報記憶手段及び緯度及び経度で示す音響情報を記憶する音響情報記憶手段を設けて、
前記映像情報記憶手段の前記緯度及び前記経度を、前記地図映像表示手段の前記緯度及び前記経度、前記列車路線情報記憶表示手段の前記緯度及び前記経度、前記列車運行情報記憶表示手段の前記緯度及び前記経度及び前記音響情報記憶手段の前記緯度及び前記経度にそれぞれ対応させて記憶、表示し、前記列車の擬似動画を表示することをすることを特徴とする列車情報提示装置。
【発明の詳細な説明】
【発明の詳細な説明】
【技術分野】
【０００１】  本発明は、移動体情報提示方法及び移動体情報提示装置に関するものである。本発明は地図画像に対応付けて移動体の情報を表示する移動体情報提示方法及び移動体情報提示装置に関するものである。【０００２】  本発明は、特に、緯度、経度で示された位置情報を記憶し、地図画像に対応付けて移動体の情報を表示し、移動体の擬似動画を表示できる移動体情報提示方法及び移動体情報提示装置に関するものである。本発明は、特に、緯度、経度で示された位置情報を記憶し、地図画像に対応付けて移動体の情報を表示し、移動体を例えば時刻通りに動かす表示方法である擬似動画を表示できる移動体情報提示方法及び移動体情報提示装置に関するものである。【０００３】  本発明は、特に、緯度、経度で示された位置情報を記憶し、地図画像に対応付けて列車の情報を表示し、列車の擬似動画を表示できる列車情報提示方法及び列車情報提示装置に関するものである。本発明は、特に、緯度、経度で示された位置情報を記憶し、地図画像に対応付けて列車の情報を表示し、列車を時刻通りに動かす表示方法である擬似動画を表示できる列車情報提示方法及び列車情報提示装置に関するものである。
【背景技術】
【０００４】  従来から、特許文献１（特開２０１０−４９１１５特許公報）に示されているように、位置情報を取得し、位置情報に対応する地図画像を表示する情報提示方法及びナビゲーション装置等が広く使われている。【０００５】  上述のナビゲーション装置等では、位置情報を取得し、位置情報に対応する地図画像を表示するとともに、地名、道路名、駅名、行政区画、商店等を文字情報やアイコン画像を地図画像に重畳して表示することで、ユーザにとって分かりやすい情報の提示を行なっている。【０００６】  又、特許文献１（特開２０１０−４９１１５特許公報）に示されている情報提示装置は、現在の緯度及び経度の情報を含む位置情報を取得する緯度経度判断部と、前記位置情報に対応する地図画像を表示する地図表示判断部とを備え、線路及び駅の位置を緯度及び経度で示す線路情報を記憶する線路及び駅名と、複数の前記位置情報と、前記線路情報の線路の位置を示す情報が一致した場合、自装置が列車と共に移動していると判断する乗車判断部と、前記線路情報に基づいて、当該線路の接続先を示す接続先情報を取得する行先判断部と、自装置が列車と共に移動していると乗車判断部が判断した場合、行先判断部が取得した情報のうち、地図表示判断部が表示した地図画像内に表示されていない前記接続先情報を、当該地図画像内の線路の終端にさせて表示する表示地名判断部を備えている。【０００７】  特許文献１（特開２０１０−４９１１５特許公報）に示された情報提示装置によって、ユーザにとって判りやすい対応付けを行なった接続先情報を表示している。
【先行技術文献】
【特許文献】
【特許文献１】特開２０１０−４９１１５特許公報
【発明の概要】
【発明が解決しようとする課題】
【０００８】  最近、ナビゲーション装置等では、Ｇｏｏｇｌｅマップに画像を貼り付けることは多く見られるようになってきたが、移動体を動かす表示方法である擬似動画を表示できる移動体情報提示方法及び移動体情報提示装置が強く望まれていた。【０００９】  ナビゲーション装置等では、グーグルＧｏｏｇｌｅマップに画像を貼り付けることは多く見られるようになってきたが、移動体の音響を聞けることができる移動体情報提示方法及び移動体情報提示装置が強く望まれていた。【００１０】  ナビゲーション装置等では、Ｇｏｏｇｌｅマップに画像を貼り付けることは多く見られるようになってきたが、風景や移動体の画像、映像が表示することができる移動体情報提示方法及び移動体情報提示装置が強く望まれていた。【００１１】  ナビゲーション装置等では、Ｇｏｏｇｌｅマップに画像を貼り付けることは多く見られるようになってきたが、列車を時刻通りに動かす表示方法である擬似動画を表示できる列車情報提示方法及び列車情報提示装置が強く望まれていた。【００１２】  ナビゲーション装置等では、グーグルＧｏｏｇｌｅマップに画像を貼り付けることは多く見られるようになってきたが、駅のアナウンスや発車音を聞けることができる列車情報提示方法及び列車情報提示装置が強く望まれていた。【００１３】  ナビゲーション装置等では、Ｇｏｏｇｌｅマップに画像を貼り付けることは多く見られるようになってきたが、風景や列車の画像、映像が表示することができる列車情報提示方法及び列車情報提示装置が強く望まれていた。【００１４】  本発明は、上述の課題を解決するためになされたものであり、その目的は移動体を動かす表示方法である擬似動画を表示できる移動体情報提示方法及び移動体情報提示装置にある。【００１５】  本発明は、上述の課題を解決するためになされたものであり、その目的は移動体の音響を聞けることができる移動体情報提示方法及び移動体情報提示装置にある。【００１６】  本発明は、上述の課題を解決するためになされたものであり、その目的は風景や移動体の静止画像、映像を表示することができる移動体情報提示方法及び移動体情報提示装置にある。【００１７】  本発明は、上述の課題を解決するためになされたものであり、その目的は列車を時刻表通りに又はＧＰＳ情報に基づいて動かす表示方法である擬似動画を表示できる列車情報提示方法及び列車情報提示装置にある。【００１８】  本発明は、上述の課題を解決するためになされたものであり、その目的は駅のアナウンスや発車音を聞けることができる列車情報提示方法及び列車情報提示装置にある。【００１９】  本発明は、上述の課題を解決するためになされたものであり、その目的は風景や列車の静止画像、映像が表示することができる列車情報提示方法及び列車情報提示装置にある。
【課題を解決するための手段】
【００２０】  本発明は、任意の位置を緯度及び経度で示す前記任意の位置に対応する地図画像を表示し、路線を緯度及び経度で示す移動体の路線情報を記憶し、表示し、前記移動体の位置を緯度及び経度で示す移動体運行情報を記憶し、表示するものにおいて、緯度及び経度で示す静止画像の情報を記憶し、表示し、前記静止画像情報の前記緯度及び前記経度を、前記移動体路線情報の前記緯度及び前記経度及び前記移動体運行情報の前記緯度及び前記経度にそれぞれ対応させて記憶、表示し、前記地図画像に対応付けて情報を表示し、前記移動体の擬似動画を表示することを特徴とする移動体情報提示方法にある。【００２１】  本発明は、任意の位置を緯度及び経度で示す前記任意の位置に対応する地図画像を表示する地図画像表示手段、路線の位置を緯度及び経度で示す移動体の路線情報を記憶し、表示する移動体路線情報記憶表示手段、前記移動体の位置を緯度及び経度で示す列車運行情報を記憶し、表示する移動体運行情報記憶表示手段を備えたものにおいて、緯度及び経度で示す静止画像の情報を記憶し、表示する静止画像情報記憶表示手段を設けて、前記静止画像情報記憶表示手段の前記緯度及び前記経度を、前記地図画像表示手段の前記緯度及び前記経度、前記移動体路線情報記憶表示手段の前記緯度及び前記経度及び前記移動体運行情報記憶表示手段の前記緯度及び前記経度にそれぞれ対応させて記憶、表示し、前記地図画像に対応付けて情報を表示し、前記移動体の擬似動画を表示することを特徴とする移動体情報提示装置にある。【００２２】  本発明は、任意の位置を緯度及び経度で示す前記任意の位置に対応する地図画像を表示し、路線の位置を緯度及び経度で示す列車の路線情報を記憶し、表示し、前記列車の位置を緯度及び経度で示す列車運行情報を記憶し、表示するものにおいて、緯度及び経度で示す静止画像の情報を記憶し、表示し、前記静止画像情報の前記緯度及び前記経度を、前記列車路線情報の前記緯度及び前記経度及び前記列車運行情報の前記緯度及び前記経度にそれぞれ対応させて記憶、表示し、前記地図画像に対応付けて情報を表示し、前記列車の擬似動画を表示することを特徴とする列車情報提示方法にある。【００２３】  本発明は、任意の位置を緯度及び経度で示す前記任意の位置に対応する地図画像を表示する地図画像表示手段、路線の位置を緯度及び経度で示す列車の路線情報を記憶し、表示する列車路線情報記憶表示手段、前記列車の位置を緯度及び経度で示す列車運行情報を記憶し、表示する列車運行情報記憶表示手段を備えたものにおいて、緯度及び経度で示す静止画像の情報を記憶し、表示する静止画像情報記憶表示手段を設けて、前記静止画像情報記憶表示手段の前記緯度及び前記経度を、前記地図画像表示手段の前記緯度及び前記経度、前記列車路線情報記憶表示手段の前記緯度及び前記経度及び前記列車運行情報記憶表示手段の前記緯度及び前記経度にそれぞれ対応させて記憶、表示し、前記地図画像に対応付けて情報を表示し、前記列車の擬似動画を表示することを特徴とする列車情報提示装置にある。【００２４】  本発明で定義する移動体とは、例えば、電車、汽車、鉄道の列車、乗用車、バス、トラック、オートバイ、メリーゴーランド、ジェット��スター、飛行機、船舶等及びマラソンランナー、トラック走者等をいい、一般人が作成した仮想移動体も含まれる。【００２５】  本発明で定義する路線情報とは、移動体が走行する路線図、ロードマップ、ルート軌跡、ループ軌跡、航空線図、航海線図等路線に関する情報をいい、一般人が作成した仮想路線情報も含まれる。【００２６】  本発明で定義する運行情報とは、移動体が走行する運行スケジュール、運行マップ、ルートマップ等運行に関する情報をいい、一般人が作成した仮想運行情報も含まれる。
【発明の効果】
【００２７】  本発明によれば、Ｗｅｂ上で、ビジュアル的に移動体の運行が把握することができる移動体情報提示方法及び移動体情報提示装置が得られた。【００２８】  本発明によれば、Ｗｅｂ上で、移動体のリアルな動きが見られ、画面を見ていると時刻表通りに又はＧＰＳ情報に基づいて移動体が動くことができる移動体情報提示方法及び移動体情報提示装置が得られた。【００２９】  本発明によれば、Ｗｅｂ上で、緯度、経度で示された位置情報を記憶し、地図画像に対応付けて情報を表示し、移動体を時刻表通りに又はＧＰＳ情報に基づいて動かす擬似動画を表示できる移動体情報提示方法及び移動体情報提示装置が得られた。【００３０】  本発明によれば、Ｗｅｂ上で、移動体ファンが撮影した移動体の静止画像や映像の移動体の音響をアップすることができ、これらを鉄道ファン及び一般人が利用することができる移動体情報提示方法及び移動体情報提示装置が得られた。【００３１】  本発明によれば、Ｗｅｂ上で、移動体路線図情報と移動体運行情報と周辺情報を地図上に表示し、移動体の運行状況をビジュアル的に把握できるアプリケーションを地図、時刻表、ＧＰＳ情報、移動体を基に表示し、風景画像、音響、周辺情報を載せることができ、線路情報を中心にした様々な情報の場を提供することができる移動体情報提示方法及び移動体情報提示装置が得られた。【００３２】  本発明によれば、Ｗｅｂ上で、緯度、経度で示された位置情報を記憶し、地図画像に対応付けて情報を表示し、移動体を時刻表通りに又はＧＰＳ情報に基づいて動かす擬似動画を表示でき、テキスト情報、静止画像や映像を表示することができる移動体情報提示方法及び移動体情報提示装置が得られた。【００３３】  本発明によれば、Ｗｅｂ上で、緯度、経度で示された位置情報を記憶し、地図画像に対応付けて情報を表示し、移動体を時刻表通りに又はＧＰＳ情報に基づいて動かす擬似動画を表示でき、移動体ファンや沿線住民等が情報交換することができる移動体情報提示方法及び移動体情報提示装置が得られた。【００３４】  本発明によれば、Ｗｅｂ上で、緯度、経度で示された位置情報を記憶し、地図画像に対応付けて情報を表示し、移動体を時刻表通りに又はＧＰＳ情報に基づいて動かす擬似動画を表示でき、移動体ファンや沿線住民等が保有する情報を書き込み、情報発信することができる移動体情報提示方法及び移動体情報提示装置が得られた。【００３５】  本発明によれば、Ｗｅｂ上で、緯度、経度で示された位置情報を記憶し、地図画像に対応付けて情報を表示し、列車を時刻表通りに又はＧＰＳ情報に基づいて動かす擬似動画を表示でき、Ｗｅｂ上と現実の活動の交流による相乗効果を上げることができる列車情報提示方法及び列車情報提示装置が得られた。【００３６】  本発明によれば、Ｗｅｂ上で、ビジュアル的に列車の運行が把握することができる列車情報提示方法及び列車情報提示装置が得られた。【００３７】  本発明によれば、Ｗｅｂ上で、列車のリアルな動きが見られ、画面を見ていると時刻表通りに又はＧＰＳ情報に基づいて列車が動くことができる列車情報提示方法及び列車情報提示装置が得られた。【００３８】  本発明によれば、Ｗｅｂ上で、緯度、経度で示された位置情報を記憶し、地図画像に対応付けて情報を表示し、列車を時刻表通りに又はＧＰＳ情報に基づいて動かす擬似動画を表示できる列車情報提示方法及び列車情報提示装置が得られた。【００３９】  本発明によれば、Ｗｅｂ上で、鉄道ファンが自分の撮影した画像や列車の音をアップすることができ、これらを鉄道ファン及び一般人が利用することができる列車情報提示方法及び列車情報提示装置が得られた。【００４０】  本発明によれば、Ｗｅｂ上で、路線図情報と列車運行情報と周辺情報を地図上に表示し、運行状況をビジュアル的に把握できるアプリケーションを地図、時刻表、ＧＰＳ情報、列車を基に表示し、風景画像、駅の音、周辺情報を載せることができ、線路を中心にした様々な情報の場を提供することができる列車情報提示方法及び列車情報提示装置が得られた。【００４１】  本発明によれば、Ｗｅｂ上で、緯度、経度で示された位置情報を記憶し、地図画像に対応付けて情報を表示し、列車を時刻表通りに又はＧＰＳ情報に基づいて動かす擬似動画を表示でき、テキスト情報、静止画像や映像を表示することができる列車情報提示方法及び列車情報提示装置が得られた。【００４２】  本発明によれば、Ｗｅｂ上で、緯度、経度で示された位置情報を記憶し、地図画像に対応付けて情報を表示し、列車を時刻表通りに又はＧＰＳ情報に基づいて動かす擬似動画を表示でき、鉄道ファンや沿線住民等が情報交換することができる列車情報提示方法及び情報提示装置が得られた。【００４３】  本発明によれば、Ｗｅｂ上で、緯度、経度で示された位置情報を記憶し、地図画像に対応付けて情報を表示し、列車を時刻表通りに又はＧＰＳ情報に基づいて動かす擬似動画を表示でき、鉄道ファンや沿線住民等が保有する情報を書き込み、情報発信することができる列車情報提示方法及び列車情報提示装置が得られた。【００４４】  本発明によれば、Ｗｅｂ上で、緯度、経度で示された位置情報を記憶し、地図画像に対応付けて情報を表示し、列車を時刻表通りに又はＧＰＳ情報に基づいて動かす擬似動画を表示でき、Ｗｅｂ上と現実の活動の交流による相乗効果を上げることができる列車情報提示方法及び列車情報提示装置が得られた。
【図面の簡単な説明】
【００４５】
【図１】本発明の移動体情報提示装置の一実施例を示す列車情報提示装置のディスプレイの表示説明図である。
【図２】本発明の移動体情報提示装置の一実施例を示す列車情報提示装置と各種データベース部の構成ブロック図である。
【発明を実施するための形態】
【実施例】
【００４６】  以下、本発明の移動体情報提示方法及び移動体情報提示装置の一実施例である列車情報提示方法及び列車情報提示装置について説明する。図１は、本発明の一実施例を示す列車情報提示装置のディスプレイの表示説明図である。本発明では、地図画像に対応付けて列車の情報を列車情報提示装置には、列車を時刻通りに又はＧＰＳ情報に基づいて動かす擬似動画が表示されている。【００４７】  図１において、列車情報提示装置のディスプレイ上に、地図情報ａに対応付けて鉄道路線ｂが表示される。鉄道路線ｂにＡ駅ｃ、Ｂ駅ｃ及びＣ駅ｃの三つの駅が表示される。鉄道路線ｂの軌道上に列車を時刻通りに又はＧＰＳ情報に基づいて動かす列車の擬似動画ｄが表示される。図１においては、２種類の構造が異なる列車の擬似動画ｄを例示している。鉄道ファンや一般人は、列車の擬似動画ｄとともにＡ駅ｃを過ぎＢ駅への途中で虹の静止画像ｅを入手でき、表示されるので虹を見ることができる。鉄道ファンや一般人は、列車の擬似動画ｄとともにＢ駅ｃに到着前に飛行機の映像情報ｇを入手でき、表示されるので飛行機の映像ｇを見ることができる。鉄道ファンや一般人は、列車の擬似動画ｄとともにＢ駅ｃを過ぎてからレストランの静止画像ｅを入手でき、表示されるので静止画像ｅを見ることができる。鉄道ファンや一般人は、列車の擬似動画ｄとともにＢ駅ｃからＣ駅ｃの途中で音響情報ｆを入手できるので音を聞くことができる。鉄道ファンや一般人は、Ｃ駅ｃでは、ビデオカメラで作成された映像情報ｇを入手でき、表示されるのでビデオカメラ映像ｇを見ることができる。【００４８】  以下、本発明の移動体情報提示方法及び移動体情報提示装置の一実施例である列車情報提示方法及び列車情報提示装置の要部構成について説明する。図２は、本発明の移動体情報提示装置の一実施例を示す列車情報提示装置と各種データベース部の構成ブロック図である。列車情報提示装置は、Ｇｏｏｇｌｅ（グーグル）マップである地図関連情報（地図情報データベース部）、路線関連情報（路線情報データベース部）、列車運行関連情報（列車運行情報データベース部）、静止画像関連情報（静止画像情報データベース部）、音饗関連情報（音響情報データベース部）、映像関連情報（映像情報データベース部）、会員登録関連情報（会員登録情報データベース部）等から構成されている。【００４９】  本発明の移動体情報提示装置の一実施例である列車情報提示装置２００は、図２に示すように、主としてＧｏｏｇｌｅマップである地図情報データベース部２１、路線情報データベース部２２、列車運行情報データベース部２３、静止画像情報データベース部２４、音響情報データベース部２５、映像情報データベース部２６、会員登録情報データベース部２７及びディスプレイ部２８等で構成される。【００５０】  列車情報提示装置２００のＧｏｏｇｌｅマップである地図情報データベース部２１には、路線情報データベース部２２及び列車運行情報データベース部２３を含み、緯度及び経度を示す記憶された地図、緯度及び経度を示す記憶された鉄道経路図を画面上に表示する。列車情報提示装置２００の静止画像情報データベース部２４は、緯度及び経度を示す記憶された各種静止画像を蓄積して��る。列車情報提示装置２００の音響情報データベース部２５は、緯度及び経度を示す記憶された各種音響を蓄積している。列車情報提示装置２００の映像情報データベース部２６は、緯度及び経度を示す記憶された各種映像を蓄積している。列車情報提示装置２００の会員登録情報データベース部２７は、鉄道ファンや一般人である会員の会員登録の各種情報を蓄積している。【００５１】  列車情報提示装置２００のディスプレイ部２８は、地図情報データベース部２１、路線情報データベース部２２、列車運行情報データベース部２３、静止画像情報データベース部２４、音響情報データベース部２５、映像情報データベース部２６、会員登録情報データベース部２７からの各種データを重畳して表示、プロットする。このように、各種データベース２１−２７からの種々のデータを画面（ディスプレイ部）２８に統合して表示する。【００５２】  まず、列車情報提示装置２００のＧｏｏｇｌｅマップである地図情報データベース部２１について説明する。Ｇｏｏｇｌｅマップ上に、地図、観光マップ、路線図、駅名称情報、時刻表を一度に表示する。Ｇｏｏｇｌｅマップは、現在の緯度及び経度の情報を含む位置情報を取得する緯度経度判断部を有している。緯度経度判断部は、鉄道ファン及び一般人のパソコンの緯度及び経度を示す位置情報に基づく現在の状態を判断する。又、Ｇｏｏｇｌｅマップは、位置情報に対応する地図画像を表示する地図表示判断部を有している。この地図表示判断部は、地図を表示するための画像データ、文字データ、アイコンデータ等を記憶する。地図には、表示出力部に表示して鉄道ファン及び一般人に提示するために地図画像が記憶されている。ＧｏｏｇｌｅマップのＭａｐｓ上では、地図情報の表示縮尺が自由に変更でき、地図情報が拡大、縮小が簡単に行なえる。本発明では、特にＧｏｏｇｌｅマップ上に任意に路線上に任意の列車が時刻表に沿って走行させる。【００５３】  本発明では、例えば、Ｇｏｏｇｌｅ  Ｍａｐｓ  ＡＰＩを活用する。ＧｏｏｇｌｅのＭａｐｓ  ＡＰＩは、誰でも自由にアクセスできるウェブサイトであれば無料で利用できるサービスである。【００５４】  更に、本発明では、Ｇｏｏｇｌｅ  Ｍａｐｓ  ＡＰＩのアプリケーションを構築する場合、拡張機能、テクニカルサポート、ＳＬＡ（サービスレベル契約）を備えたＧｏｏｇｌｅ  Ｍａｐｓ  ＡＰＩ  Ｐｒｅｍｉｎｅｒを使用することができる。【００５５】  ＧｏｏｇｌｅのＭａｐｓ  ＡＰＩの一例について述べると、例えば、「Ｍａｐｓ  ＪａｖａＳｃｒｉｐｔ  ＡＰＩ」は、ＪａｖａＳｃｒｉｐｔを使ってＧｏｏｇｌｅマップをウェブページに埋め込むことができ、地図の操作やコンテンツの追加にさまざまなサービスを使用することができる。「Ｍａｐｓ  ＡＰＩ  ｆｏｒ  Ｆｌａｓｈ」は、ＦｌａｓｈベースのウェブページやアプリケーションにＧｏｏｇｌｅマップを埋め込むことができ、地図は３次元で操作し、コンテンツの追加にさまざまなサービスを使用することができる。【００５６】  「Ｇｏｏｇｌｅ  Ｅａｒｔｈ  ＡＰＩ」は、リアルな３Ｄデジタル地球儀をＷｅｂページに埋め込むことができ、Ｗｅｂページから移動することなく、訪問者を世界中のあらゆる場所に案内することができる。「Ｓｔａｔｉｃ  Ｍａｐｓ  ＡＰＩ」は、シンプルなＧｏｏｇｌｅマップの画像をＷｅｂページやモバイルサイトに簡単に埋め込むことができる。「Ｗｅｂ  サービス」は、ＵＲＬリクエストを利用して、クライアントアプリケーションからジオコーティング、ルート、高度、場所等の情報にアクセスし、ＪＳＯＮやＸＭＬで返される結果を操作することができる。「Ｍａｐｓ  Ｄａｔａ  ＡＰＩ」は、目印、線、シェイプ等の対象物や対象物のコレクションのモデルを使用して、地図データをＧｏｏｇｌｅ  Ｄａｔａ  ＡＰＩフィード形式で表示、保存、更新することができる。【００５７】  次に、列車情報提示装置２００の列車関連情報について説明する。列車関連情報は、路線情報データベース部２２と列車運行情報データベース部２３から入手する。本発明では、列車関連情報として、線路情報を記憶する線路情報記憶部を有する。この線路情報記憶部は、線路及び駅の位置を緯度及び経度で示す線路情報を記憶し、線路及び駅名の線路情報を有している。又、線路情報記憶部は、線路情報に基づいて、線路の接続先を示す接続先情報を取得する行先判断部、列車の運行時刻を示す時刻表情報を記憶する時刻表情報記憶部、列車の停車駅を示す停車駅情報を記憶する停車駅情報記憶部等を有している。又、線路情報記憶部は、列車の移動中の緯度、経度である線路情報を記憶する。更に、列車関連情報として、列車番号（運用番号）情報記憶部を有し、これにより使用する列車（車両）等の情報が判明し、「車両鉄」はおおよその列車の型を判明できる。【００５８】  本発明では、列車関連情報として、線路には、線路の形状及び位置を示す線路ベクトルデータが記憶されている。駅ベクトルには、駅の位置、駅名、停車する列車、乗り換え可能な路線、発着信する列車の時刻表及び駅に関する各種データが、駅の緯度及び経度を示す情報及び形状を示すベクトルデータを含む図形情報を関連付けて記憶する。駅ベクトルのデータベースには、地図を表示するための地図とは別に、線路のみの情報をまとめた線路が存在する。この線路には、地図で実際に線路が敷設されている位置情報（緯度及び経度）と、ベクトルデータとが対応付けられた構成になっている。即ち、線路のベクトルデータがそれぞれ、緯度及び経度と対応付けられており、駅のベクトルデータがそれぞれ、緯度及び経度と対応付けられている。【００５９】  本発明では、列車関連情報として、列車情報記憶部は、地図画像に重畳して表示する各種接続先情報、具体的には、線路の先に存在する駅名、地名等を表示するためのデータが記憶されている。時刻表情報記憶部での時刻表は、線路上に存在する各駅から到着、発車する列車の時刻表を記憶する。停車駅情報記憶部での停車駅は、ある列車の行先情報及びその途中の停車駅の情報を記憶する。駅名は、線路上に存在する各駅の名前及び緯度、経度で示された位置情報を記憶する。【００６０】  次に、列車情報提示装置２００の静止画像情報データベース部２４について説明する。本発明では、静止画像関連情報として、静止画像情報記憶部は、デジタルカメラ、携帯電話のカメラ等で撮影者が撮影した静止画像を記憶する。撮影者の撮影対象として駅、駅の周辺、列車風景、駅周辺の商店、列��から見える商店、観光地風景等がある。【００６１】  本発明では、静止画像関連情報として、例えば、デジタルカメラの静止画像情報は、Ｗｉ−Ｆｉシステムによって撮影場所の緯度、経度は自動的に入力されている。又、デジタルカメラ等でなく、Ｗｉ−Ｆｉシステムによらない場合、撮影者が撮影場所（住所）を入力する。この場合、撮影場所は、例えば、Ｄ駅の周辺（住所）又はＥ駅とＦ駅の間の場所と入力してもよい。Ｄ駅の周辺の住所又はＥ駅とＦ駅の間の場所の住所は、撮影者又は情報提示装置の管理者（システム構築者）が正確な緯度及び経度又は想定した緯度及び経度を入力する。又、撮影者は撮影日を入力して、ディスプレイに季節、月、年号等で表示することができる。【００６２】  本発明では、静止画像情報記憶部への静止画像入力者又は静止画像登録者としては、「乗り鉄」、「車両鉄」や「音鉄」といわれる鉄道乗車愛好者、鉄道写真撮影等に凝る写真マニア、一般写真撮影者がいる。本発明では、静止画像関連情報として、静止画像情報記憶部は、撮影者の一言コメント、感想等を入力してもよい。又、ユーザが賛意である例えば「いいね」のコメントやユーザのその他のコメントを入力、挿入することができる。【００６３】  次に、列車情報提示装置２００の音響情報データベース部２５について説明する。本発明では、音響関連情報として、音響情報記憶部は、音響記録者が記録した列車の音、駅内の音、発車メロディ、駅員のアナウンス、駅周辺の音、駅周辺の店の音、鳥の鳴き声、滝の音等の音響を記憶する。【００６４】  本発明では、音響関連情報として、例えば、録音機の音響情報は、音響入力場所（住所）の緯度及び経度を入力する。この場合、音響入力場所は、例えば、Ｄ駅の周辺（住所）又はＥ駅とＦ駅の間の場所と入力してもよい。Ｄ駅の周辺の住所又はＥ駅とＦ駅の間の場所の住所は、音響入力者又は情報提示装置の管理者（システム構築者）が正確な緯度及び経度又は想定した緯度及び経度を入力する。又、音響情報取得者は音響入手日を入力して、ディスプレイに季節、月、年号等で表示することができる。【００６５】  本発明では、音響情報記憶部への音響入力者又は音響登録者としては、「乗り鉄」、「車両鉄」や「音鉄」といわれる鉄道乗車愛好者、鉄道音響入力等に凝る音響マニア、一般音響入力者がいる。本発明では、音響関連情報として、音響情報記憶部は、音響入力者の一言コメント、感想等を入力してもよい。又、ユーザが賛意である例えば「いいね」のコメントやユーザのその他のコメントを入力、挿入することができる。【００６６】  次に、列車情報提示装置２００の映像情報データベース部２６について説明する。本発明では、映像関連情報として、映像情報記憶部は、映像記録者がビデオカメラ、デジタルカメラ、携帯電話等で記録した列車の映像、列車内又は駅内の映像、駅周辺の映像、駅周辺の店の映像等を記憶する。【００６７】  本発明では、映像画像関連情報として、例えば、ビデオカメラの映像情報は、緯度及び経度は自動的に入力されている。又、映像情報の緯度及び経度が自動的に入力されない場合、撮影者が撮影場所（住所）を入力する。この場合、撮影場所は、例えば、Ｄ駅の周辺（住所）又はＥ駅とＦ駅の間の場所と入力してもよい。Ｄ駅の周辺の住所又はＥ駅とＦ駅の間の場所の住所は、撮影者又は情報提示装置の管理者（システム構築者）が正確な緯度及び経度又は想定した緯度及び経度を入力する。又、撮影者は撮影日を入力して、ディスプレイに季節、月、年号等で表示することができる。【００６８】  本発明では、映像情報記憶部への映像入力者又は映像登録者としては、「乗り鉄」、「車両鉄」や「音鉄」といわれる鉄道乗車愛好者、鉄道写真撮影等に凝る写真マニア、一般写真撮影者がいる。本発明では、映像関連情報として、映像画像情報記憶部は、撮影者の一言コメント、感想等を入力してもよい。又、ユーザが賛意である例えば「いいね」のコメントやユーザのその他のコメントを入力、挿入することができる。【００６９】  次に、列車情報提示装置２００の会員登録情報データベース部２７について説明する。この会員登録情報データベース部２７には、鉄道ファンや一般人である会員をさまざまな情報を登録、蓄積している。会員の氏名、住所、ＩＤ番号、愛称等を登録することができる。【００７０】  列車情報提示装置２００の会員登録情報データベース部２７に登録した会員はサイトを利用できる。例えば、会員は無料会員と有料会員の２種類に分類する。無料会員（利用者）としては、鉄道ファンであって画像や音のアップ等の自己実現の場とし、実際に乗りたいと思わせる情報の発信を行なうことができる。有料会員は、情報掲載等の有料利用者であり、例えば鉄道ファン向けの商品を販売したい企業であって、自社の商品の情報を掲載できるサイトを活用する。【００７１】  本発明の移動体情報提示装置の一実施例である列車情報提示装置２００のデータ作成について説明する。本発明の一実施例である列車情報提示装置２００に入力する各種データ作成装置は、ＣＰＵ部、キーボード（Ｋ／Ｂ）部、プリンタ部、ディスプレイ部、メモリー部で構成されている。キーボード（Ｋ／Ｂ）部、プリンタ部、ディスプレイ部、メモリー部はそれぞれＣＰＵ部に電気的に直接接続されている。キーボード（Ｋ／Ｂ）部によって、鉄道ファン及び一般人が各種データを入力する。鉄道ファン、一般人及び管理者のパソコンは、ｗｗｗ（ｗｏｒｌｄ  ｗｉｄｅ  ｗｅｂ）を介してデータセンターの一部に管理者が借用、構築したエリアに接続されている。鉄道ファン、一般人がデータをデータセンターに投稿すると管理者が投稿データを格納エリアから自動的にアップし、表示する。【００７２】  本発明の移動体情報提示装置の一実施例である列車情報提示装置２００では、ＩＴプラットフォームを構築し、インターネット上で、鉄道ファンや沿線住民が情報交換できる場を設定するとともに企業と地域の団体と連携し、人の動きを活発にする企画を実施し、インターネット上と現実の活動の交流による相乗効果を上げ、それにより地域活性化を図ることができる。【００７３】  本発明の移動体情報提示装置の一実施例である列車情報提示装置２００のサーバに、ホームページ構築（ＰＣ版運行状況表示、沿線情報表示、会員登録、投稿管理、有料広告管理が含まれる）、会員データベース管理システム及び鉄道情報管理システム構築している。【００７４】  本発明の移動体情報提示装置の一実施例である列車情報提示装置２００のＧｏｇｌｅマップである地図情報データベース部２１を介して、地図、観光マップ、鉄道路線図、駅名称情報、時刻表、ＧＰＳ情報等を一度に表示するとともに、鉄道ファン、一般人や沿線住民が保有する情報を書き込み、情報発信できる。Ｇｏｏｇｌｅマップ上では、列車を時刻表通りに又はＧＰＳ情報に基づいて画面上に表示して動かすことができる。このため、紙媒体や現在のホームページ（ＨＰ）にはないリアルな列車のリアルな動きが見られるようになる。画面を見ていると、時刻表通りにＧｏｏｇｌｅマップの画面上に列車が動くので、鉄道ファン及び一般人にとって魅力的なサイトになる。【００７５】  本発明の移動体情報提示装置の一実施例である列車情報提示装置２００のＧｏｇｌｅマップである地図情報データベース部２１を介して、鉄道路線図情報と列車運行情報を地図上に表示することにより、運行状況をビジュアル的に把握できるアプリケーションというものを、地図、時刻表、ＧＰＳ情報、列車を基に表示する。それをプラットフォームとして、その上に風景画像、駅の音、周辺情報を載せることで、路線を中心としたさまざまな情報の場を提供できる。【００７６】  本発明の一実施例である列車情報提示装置又は列車情報提示方法について説明する。鉄道ファン及び一般人が、勝田駅（ターミナル駅）と阿字ヶ浦駅（ターミナル駅）の間を運行するひたちなか海浜鉄道湊線を利用する例について説明する。ひたちなか海浜鉄道湊線は、鉄道ファンに魅力的なキハ２０００形、キハ２０形、キハ２２形、ミキ３００形等の車両が走行している。【００７７】  まず、鉄道ファン及び一般人は、Ｗｅｂ上でひたちなか海浜鉄道湊線の始発ターミナル駅である勝田駅の周辺の商店情報の静止画像を列車情報提示装置２００の静止画像情報データベース部２４から入手し、見ることができ、音響情報データベース部２５から駅員のアナウンス、列車の発車メロディを入手し、聞くことができる。【００７８】  このように、風景情報記録部に記録した路線周辺の風景は、その記録された風景情報と路線の位置を示す路線情報が一致して情報表示装置のＧｏｏｇｌｅマップの地図上に表示することができる。音響情報記録部に記録した路線周辺の音響は、その記録された音響情報と路線の位置を示す路線情報が一致して情報表示装置のＧｏｏｇｌｅマップの地図上で列車情報提示装置２００の音響情報データベース部２５から音響を入手し、聞くことができる。列車は時刻表通りに発車し、Ｗｅｂ上で、列車は、ひたちなか海浜鉄道湊線の路線に沿って、列車情報提示装置２００の路線情報データベース部２２の路線情報に基づいてビジュアル的に運行する。鉄道ファン及び一般人は、音響記録者が記録した列車の音を聞くことができる。【００７９】  ついで、鉄道ファン及び一般人は、Ｗｅｂ上でひたちなか海浜鉄道湊線の中間駅である中根駅と那珂湊の間の田園風景情報の静止画像を列車情報提示装置２００の静止画像情報データベース部２４から入手し、見ることができ、又は田園風景情報の映像を映像情報データベース部２５から入手し、見ることができる。列車は、ひたちなか海浜鉄道湊線の路線に沿って、列車情報表示装置２００の路線情報ベータベース部２２の路線情報に��づいてビジュアル的に運行する。更に、中間駅の磯崎駅の夕日情報の静止画像を列車情報提示装置２００の静止画像情報データベース部２４から入手し、見ることができる。【００８０】  鉄道ファン及び一般人は、Ｗｅｂ上で列車情報提示装置２００の路線情報に基づいてビジュアル的に列車が運行し、映像情報データベース部２６によって走行しているひたちなか海浜鉄道湊線のキハ２０００形、キハ２０形、キハ２２形、ミキ３００形等の車両の動画を映像情報データベース部２６から入手し、見ることができる。鉄道ファン及び一般人は、Ｗｅｂ上で路線情報に基づいて、沿線の海、のどかな田園風景、白亜紀層の断層の映像情報を列車情報提示装置２００の映像情報データベース部２６から入手し、見ることができる。【００８１】  鉄道ファン及び一般人が、Ｗｅｂ上で、列車情報提示装置２００の路線情報ベータベース部２２の路線情報に基づいてビジュアル的に列車が運行し、ひたちなか海浜鉄道湊線の終着ターミナル駅の勝田駅の周辺の商店情報である静止画像を列車情報提示装置２００の静止画像情報データベース部２４から入手し、見ることができる。音響情報データベース部２５から駅員のアナウンス音を入手し、聞くことができる。【００８２】  鉄道ファン及び一般人は、例えば、ひたちなか海浜鉄道湊線の那珂湊地域のあんこう鍋の食べられるレストラン情報や煮だこが購入できる市場の情報等、地元に密着した情報や観光施設の様子を見せるＧｏｏｇｌｅマップ上の鉄道路線をクリップするだけで、リアルタイムに見ることができる。
【符号の説明】
【００８３】  ２１．．．地図情報データベース部、２２．．．路線情報データベース部、２３．．．列車運行情報データベース部、２４．．．静止画像情報データベース部、２５．．．音響情報データベース部、２６．．．映像情報データベース部、２７．．．会員登録情報データベース部、２８．．．ディスプレイ部、２００．．．列車情報提示装置、ａ．．．地図情報、ｂ．．．路線、ｃ．．．駅、ｄ．．．列車擬似動画、ｅ．．．静止画像、ｆ．．．音響情報、ｇ．．．映像情報。
【図１】
2013174846.tif 000003
【図２】
2013174846.tif 000004